(57)【特許請求の範囲】
【請求項１】
フィルムを湾曲させて筒状とし、一方側の上のフィルムと他方側の上のフィルムとが重なり合う縦端部に縦シール部を設けた筒状フィルム内に、内容物を充填し、前記筒状フィルムの前後の両横端部にそれぞれ横シール部を設けて封をした易開封性包装体であって、
前記縦シール部において、外方に重なる縦端部が縦シール部よりも延長されて、シールされない縦最端部が残され、
前記横シール部の少なくとも一方が、前記筒状フィルムの横端部を横方向全体に渡ってシールする直線状の第１横シール部と、該第１横シール部よりも一定距離離れた内容物側を前記第１横シール部と平行になるように横方向全体に渡ってシールする第２横シール部とからなり、
前記第１横シール部と前記第２横シール部との間に非シール領域が設けられており、
該非シール領域において、前記縦シール部を剥がし、前記一方側の上のフィルムとその下側にある下フィルムとの間に指を挿入して、前記一方側の上のフィルムを剥がし、
次いで、前記他方側の上のフィルムと前記下フィルムとの間に指を挿入して、前記他方側の上のフィルムを剥がすことにより、易開封性包装体を開封するようにしたことを特徴とする易開封性包装体。
【請求項２】
前記第２横シール部のシール強度が前記第１横シール部のシール強度よりも小さいことを特徴とする請求項１に記載の易開封性包装体。
【請求項３】
フィルムが、内容物に接する内側フィルムと、内容物に接しない外側フィルムとの二層構成であることを特徴とする請求項１又は２に記載の易開封性包装体。
【請求項４】
前記内側フィルムが、ポリエチレンフィルムであり、
前記外側フィルムが、ポリエチレン層と、ポリアミド層とが積層された多層フィルムであることを特徴とする請求項３記載の易開封性包装体。
【発明の詳細な説明】
【技術分野】
【０００１】
本発明は、易開封性包装体に関し、更に詳しくは、容易に開封できると共に、輸送時における破損が防止できる易開封性包装体に関する。
【背景技術】
【０００２】
マヨネーズ、フラワーペースト、クリーム、ジャム等の粘稠性の食品（以下「内容物」という。）は、一般に包装体に充填されて搬送される。
【０００３】
このような包装体としては、例えば、内側フィルムと外側フィルムとで二枚重ねにし、内側フィルムの内側面と外側フィルムの内側面とを高ブロッキング性とし、内側フィルムの外側面と外側フィルムの外側面とを低ブロッキング性とした二重袋包装体（包装体）や（例えば、特許文献１参照）、チューブ状のフィルムを扁平状にして二枚重ね状にし、対面する２枚のフィルムの両端面を袋状に閉じて溶着することにより背シール部を構成し、内側フィルムと外側フィルムの端縁を溶着することにより横シール部を構成した多重袋（包装体）が知られている（例えば、特許文献２参照）。
【０００４】
ところが、上記二重袋包装体又は上記多重袋においては、開封性が悪く、内容物を取り出しづらく、はさみ等の道具を用いなければならず、また、開封する際に内容物が手に触れる場合があり、不衛生となる欠点がある。
【０００５】
それに対し、フィルムを筒状に折り返して両側縁部を重ね合わせた重ね合わせ部分を熱溶着した縦シール部と、両端縁部を熱溶着した横シール部とを有し、重ね合わせ部分の内側側縁部側に、横シール部と縦シール部に跨って被収容物が収納された部分から隔離する区画領域を熱溶着したシール部を形成した易開封性袋が知られている（例えば、特許文献３参照）。
【先行技術文献】
【特許文献】
【０００６】
【特許文献１】特開２００３―２６２３４号公報
【特許文献２】特許第４４９００４５号公報
【特許文献３】特開２００７−２６１６７５号公報
【発明の概要】
【発明が解決しようとする課題】
【０００７】
しかしながら、上記特許文献３に記載の易開封性袋は、内容物が粘ちょう体である場合、搬送中等の振動や衝撃により内容物の流動性に基づく振幅が増大し、その液圧により、区画領域を熱溶着したシール部が破れる恐れがある。また、内容物が固体である場合、搬送中の振動や衝撃により、内容物のズレに基づく摩擦が生じシール部が破れる恐れがある。特に特許文献３における区画領域を熱溶着したシール部は、第１シール部と中間シール部との交点に応力が集中するため、輸送時や衝撃が加わった際に破損しやすく、問題となっている。
【０００８】
本発明は、上記事情に鑑みてなされたものであり、容易に開封できると共に、輸送時における破損が防止できる易開封性包装体を提供することを目的とする。
【課題を解決するための手段】
【０００９】
本発明者らは、上記課題を解決するため鋭意検討したところ、横シール部として、第１横シール部と、第２横シール部とを横方向全体に渡って設け、これらの間に非シール領域を設けることにより、上記課題を解決できることを見出し、本発明を完成させるに至った。
【００１０】
本発明は、（１）フィルムを湾曲させて筒状とし、一方側の上のフィルムと他方側の上のフィルムとが重なり合う縦端部に縦シール部を設けた筒状フィルム内に、内容物を充填し、筒状フィルムの前後の両横端部にそれぞれ横シール部を設けて封をした易開封性包装体であって、縦シール部において、外方に重なる縦端部が縦シール部よりも延長されて、シールされない縦最端部が残され、横シール部の少なくとも一方が、筒状フィルムの横端部を横方向全体に渡ってシールする直線状の第１横シール部と、該第１横シール部よりも一定距離離れた内容物側を第１横シール部と平行になるように横方向全体に渡ってシールする第２横シール部とからなり、第１横シール部と第２横シール部との間に非シール領域が設けられており、該非シール領域において、縦シール部を剥がし、一方側の上のフィルムとその下側にある下フィルムとの間に指を挿入して、一方側の上のフィルムを剥がし、次いで、他方側の上のフィルムと下フィルムとの間に指を挿入して、他方側の上のフィルムを剥がすことにより、易開封性包装体を開封するようにした易開封性包装体に存する。
【００１１】
本発明は、（２）第２横シール部のシール強度が第１横シール部のシール強度よりも小さい上記（１）記載の易開封性包装体に存する。
【００１２】
本発明は、（３）フィルムが、内容物に接する内側フィルムと、内容物に接しない外側フィルムとの二層構成である上記（１）又は（２）に記載の易開封性包装体に存する。
【００１３】
本発明は、（４）内側フィルムが、ポリエチレンフィルムであり、外側フィルムが、ポリエチレン層と、ポリアミド層とが積層された多層フィルムである上記（３）記載の易開封性包装体に存する。
【発明の効果】
【００１４】
本発明の易開封性包装体は、横シール部として、第１横シール部と、第２横シール部とを横方向全体に渡って有しているので、応力集中することなく、区画領域を形成するシール部が剥離せず、容易に開封することができる。
【００１５】
また、易開封性包装体は、縦シール部を剥がすと同時に、横シール部を剥がすことも可能となっているので、開封性が極めて優れる。このとき、易開封性包装体においては、第１横シール部と第２横シール部との間に、非シール領域が設けられているので、非シール領域に指を挿入し、フィルムを押さえて縦シール部を引き剥がすことができる。このため、開封の際の衛生面にも優れる。なお、非シール領域の縦幅は、少なくとも指を一本以上入れることができるように１０ｍｍ以上であることが好ましい。
【００１６】
さらに、易開封性包装体においては、第１横シール部と第２横シール部とが平行になっているので、搬送中等の振動や衝撃による内容物の振幅やズレが均等に生じるので、縦シール部や横シール部に局所的に負荷がかかることを抑制できる。
【００１７】
さらにまた、易開封性包装体を容器に収納する際には、第２横シール部で折り畳んで収納することができるため、非シール領域が、内容物に対してクッションの働きをする。このため、搬送時における容器の側壁と易開封性包装体との摩擦による易開封性包装体の破損が防止される。
【００１８】
易開封性包装体においては、第２横シール部が第１横シール部のシール強度よりも小さい場合、第１横シール部より第２横シール部の強度が弱くなり、開封性が良好になる。
【００１９】
易開封性包装体においては、フィルムが、内側フィルムと、外側フィルムとからなる二層フィルムである場合、強度が向上する。特に、内側フィルムが、ポリエチレンフィルムであると、屈曲性に優れるので、内容物等の流動体を包装するのに適している。また、外側フィルムが、ポリエチレン層と、ポリアミド層とが積層された多層フィルムであると、擦れ等に対する強度が極めて向上する。
【図面の簡単な説明】
【００２０】
【図１】図１の（ａ）及び図１の（ｂ）は、本実施形態に係る易開封性包装体を製造する方法の概略を説明するための斜視図である。
【図２】図２は、本実施形態に係る易開封性包装体の一例を示す斜視図である。
【図３】図３は、図１の（ｂ）の部分Ｐを拡大して示した部分断面図である。
【図４】図４の（ａ）〜図４の（ｃ）は、本実施形態に係る易開封性包装体の開封方法を説明するための説明図であり、図４の（ｄ）〜図４の（ｆ）はそれぞれ、対応する図４の（ａ）〜図４の（ｃ）の部分断面図である。
【図５】図５は、ピロー包装機を用いた本実施形態に係る易開封性包装体１００の製造方法を説明するための概略図である。
【図６】図６は、図５のピロー包装機における横シール機のシールバーを示す部分断面図である。
【図７】図７の（ａ）は、本実施形態に係る易開封性包装体の縦シール部を説明するための説明図であり、図７の（ｂ）は、他の実施形態に係る易開封性包装体の縦シール部を説明するための説明図である。
【発明を実施するための形態】
【００２１】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２２】
本実施形態に係る易開封性包装体は、フィルム１を筒状にし、内容物を充填し、所定の位置にシールすることにより得られる。
フィルム１としては、ポリエチレン、ポリプロピレン、ポリアミド、ポリエチレンテレフタレート、ポリスチレン、ポリカーボネート、ポリ塩化ビニル、ポリ塩化ビニリデン、ポリアクリロニトリル、エチレン−α−オレフィン共重合体、エチレン−酢酸ビニル共重合体、エチレン−エチルアクリレート共重合体等が挙げられる。これらは単独で用いても、複数を用いて共重合体としてもよい。
また、これらの他にも、フィルム１は、凝集破壊するイージーピールを形成可能な熱可塑性樹脂である直鎖状低密度ポリエチレン（ＬＬＤＰＥ）とポリプロピレン（ＰＰ）の組成物、ＬＬＤＰＥとポリブテンの組成物、低密度ポリエチレン（ＬＤＰＥ）とＰＰの組成物、エチレン−酢酸ビニル共重合体（ＥＶＡ）とＰＰの組成物等が挙げられる。なお、本発明においてはこれらに限定されることなく、イージーピールを形成可能な樹脂を適宜選択して用いることができる。
なお、フィルム１は、難燃剤、防腐剤、着色剤、滑剤等の添加剤を含んでもよい。また、フィルム１は、プラズマ処理、コロナ処理等が施されていてもよい。
【００２３】
ここで、内容物としては、粘りけのある粘ちょう性の液体（粘ちょう体）や固体が挙げられる。粘ちょう体としては、マヨネーズ、ドレッシング、ソース、ケチャップ等が挙げられ、固体としては、バターやマーガリン、チーズ等が挙げられる。
【００２４】
図１の（ａ）及び図１の（ｂ）は、本実施形態に係る易開封性包装体を製造する方法の概略を説明するための斜視図である。
まず、図１の（ａ）に示すように、１枚のフィルム１の両側の縦端部１ａ同士が重なるように湾曲させる。
そして、フィルム１の重なり合う縦端部１ａ同士をシールすることにより、図１の（ｂ）に示すように、縦シール部５が設けられた筒状フィルム２とする。
【００２５】
次に、筒状フィルム２内に、内容物を充填し、筒状フィルムの前方の開口部の上下の横端部２ａ、及び、後方の開口部の上下の横端部２ａ、をそれぞれシールして横シール部を設けることにより、内容物を密封する。
これにより、縦シール部５及び横シール部が設けられ、内容物が充填された易開封性包装体が得られる。
【００２６】
図２は、本実施形態に係る易開封性包装体の一例を示す斜視図である。
図２に示すように、本実施形態に係る易開封性包装体１００は、上述したように、フィルムから製造されており、縦シール部５と、横シール部６とを備える。
易開封性包装体１００は、縦シール部５を剥がすと、同時に、横シール部６を剥がすことも可能となっている。このため、容易に開封することができる。
【００２７】
図３は、図１の（ｂ）の部分Ｐを拡大して示した部分断面図である。
図３に示すように、筒状フィルム２の縦シール部５（部分Ｐ）は、重ねた縦端部１ａのうち、外方の縦端部１ａの端が、シールされる部分よりも延長させた縦最端部１ｂを更に有することが好ましい。この場合、縦最端部１ｂを摘んで引っ張ることにより、縦シール部５を更に容易に剥がせるようになる。
【００２８】
図２に戻り、横シール部６は、易開封性包装体１００の端部に沿って直線状に設けられる第１横シール部６ａと、該第１横シール部６ａよりも一定距離離れた内側に直線状に設けられた第２横シール部６ｂとからなる。なお、第２横シール部６ｂは、片側のみに設けても、両側に設けても良い。
【００２９】
易開封性包装体１００において、第１横シール部６ａと第２横シール部６ｂとは、平行になるように設けられている。また、縦シール部５と、第１横シール部６ａ及び第２横シール部６ｂとは垂直な方向に形成されている。このため、搬送中等の振動や衝撃による内容物の液圧が第２横シール部６ｂ又は第１横シール部６ａに対して均等且つ垂直に生じるので、横シール部６に局所的に負荷がかかることを抑制でき、第２横シール部６ｂが容易に剥離することなく、非シール領域に内容物が移行することなく、容易に開封することができる。
【００３０】
第１横シール部６ａは、筒状フィルム２の前方及び後方の開口部の上下の横端部２ａを横方向全体に渡ってシールすることにより形成される。なお、第１横シール部６ａは、１ラインからなる幅広のシールであってもよく、複数の細いラインからなるシール（以下「ライン状シール」ともいう。）であってもよい。
【００３１】
第１横シール部６ａの縦幅は、５ｍｍ以上３０ｍｍ以下であることが好ましい。なお、第１横シール部６ａがライン状シールの集合体である場合、第１横シール部６ａの縦幅は、ライン状シールの集合体全体の縦幅をいう。
第１横シール部６ａの縦幅が５ｍｍ未満であると、縦幅が上記範囲内にある場合と比較して、第２横シール部６ｂが剥がれた場合、充填された内容物の漏れを十分に防止できない可能性がある。
また、第１横シール部６ａの縦幅が３０ｍｍを超えると、縦幅が上記範囲内にある場合と比較して、易開封性包装体を開封しにくくなる欠点がある。
【００３２】
第２横シール部６ｂは、筒状フィルム２の前方及び後方の第１横シール部６ａよりも一定距離離れた内側の上下の横端部２ａを横方向全体に渡ってシールすることにより形成される。なお、第２横シール部６ｂは、ベタのシールであってもよく、縦幅が約２ｍｍのライン状シールの集合体であってもよい。また、第１横シール部６ａと第２横シール部６ｂとは、同時に形成しても別々に形成してもよい。
【００３３】
第２横シール部６ｂの縦幅は、０．５ｍｍ以上５ｍｍ未満であることが好ましい。なお、第２横シール部６ｂがライン状シールの集合体である場合、第２横シール部６ｂの縦幅は、ライン状シールの集合体全体の縦幅をいう。
第２横シール部６ｂの縦幅が０．５ｍｍ未満であると、縦幅が上記範囲内にある場合と比較して、充填された内容物によりシールが剥がれてしまう恐れがある。
また、第２横シール部６ｂの縦幅が５ｍｍ以上であると、縦幅が上記範囲内にある場合と比較して、易開封性包装体１００を容器の側壁に収納する際に、第２横シール部６ｂが擦れる恐れがある。すなわち、易開封性包装体１００を容器の側壁に収納すると、第２横シール部６ｂで折り畳んで収納されることになるところ、第２横シール部６ｂの縦幅が５ｍｍ以上であると、第２横シール部６ｂ同士が擦れ、破れてしまう恐れがある。
【００３４】
易開封性包装体１００において、縦シール部５及び横シール部６は、ＪＩＳ  Ｋ６８５４によるヒートシール強度が１０Ｎ／１５ｍｍ幅未満のイージーピールからなることが好ましい。
また、第２横シール部６ｂのシール強度は、第１横シール部６ａのシール強度よりも小さくなっていることが好ましい。この場合、開封性が良好になるという利点がある。なお、シール強度は、シール時の圧力や温度を調整することで変化させることができる。また、シールの幅を小さくすることによって第２横シール部６ｂを第１横シール部６ａよりも弱くすることも可能である。
【００３５】
易開封性包装体１００において、第１横シール部６ａと第２横シール部６ｂとの間には、横方向全体に渡って、非シール領域７が設けられている。なお、非シール領域７は、シールされておらず、内容物も充填されていない。
これにより、第１横シール部６ａと第２横シール部６ｂとが連続してベタにシールされている場合よりも開封が容易となり、また、易開封性包装体を開封する際、非シール領域７に指を挿入して、下のフィルムを押さえて、上のフィルムを引き剥がすことができるので、開封がより容易となる。
【００３６】
ここで、易開封性包装体１００を開封方法の一例について説明する。
図４の（ａ）〜図４の（ｃ）は、本実施形態に係る易開封性包装体の開封方法を説明するための説明図であり、図４の（ｄ）〜図４の（ｆ）はそれぞれ、対応する図４の（ａ）〜図４の（ｃ）の部分断面図である。
図４の（ａ）及び図４の（ｄ）に示すように、易開封性包装体１００の開封方法は、まず、非シール領域７において、一方側の上のフィルム（以下「第１上フィルム」という。）１１と、他方側の上のフィルム（以下「第２上フィルム」という。）１２とがシールされた縦シール部５を剥し、指を第１上フィルム１１と、その下側にある下フィルム１３との間に挿入する。
そして、下フィルム１３を押さえながら、第１上フィルム１１を剥がす。
【００３７】
次に、図４の（ｂ）及び図４の（ｅ）に示すように、非シール領域７において、指を第２上フィルム１２と下フィルム１３との間に挿入する。
そして、下フィルム１３を押さえながら、第２上フィルム１２を剥がす。これにより、図４の（ｃ）及び図４の（ｆ）に示すように、易開封性包装体１００が開封される。
このように、易開封性包装体１００は、開封の際に、内容物に触れずに開封できる。
このため、衛生面に優れる。
【００３８】
ここで、非シール領域７の縦幅は、指の挿入性及び後述する容器の側壁に対する緩衝性の観点から、１０ｍｍ以上であることが好ましく、１０ｍｍ以上５０ｍｍ以下であることがより好ましい。
【００３９】
次に、本実施形態に係る易開封性包装体１００の製造方法について説明する。
図５は、ピロー包装機を用いた本実施形態に係る易開封性包装体１００の製造方法を説明するための概略図である。
図５に示すように、ピロー包装機２０は、内容物が投入されるホッパ２１と、該ホッパ２１の内部が連通している筒状体２７と、筒状体２７に設けられたフォーマ２２と、該フォーマ２２の下方に設けられ縦シール部５を設ける縦シール機２３と、筒状フィルム２をしごき、筒状フィルム２内に内容物を投入する開閉可能なしごきロール２５と、筒状フィルム２に横シール部６を設ける横シール機２６と、を備える。
【００４０】
易開封性包装体１００の製造方法においては、長尺状のフィルム１が巻回されたロール状原反Ｒからフィルム１が搬送され、フォーマ２２によってフィルム１が湾曲されて筒状となる。
そして、筒状にしたフィルム１の重なり合う縦端部に、縦シール機２３にて縦シール部５を設け筒状フィルム２とする。
【００４１】
次に、筒状フィルム２を下方に送り、しごきロール２５を閉じることにより、筒状フィルム２をしごくと共に、筒状フィルム２に横シール機２６にて横シール部６を設ける。
そして、上方のホッパ２１から投入された内容物を、筒状体２７の内部に流通させ、筒状態２７の下部から吐出して、筒状フィルム内に投入し、充填する。
【００４２】
その後、しごきロール２５を開き、筒状フィルム２を下方に送る。
そして、再び、しごきロール２５を閉じることにより、筒状フィルム２をしごくと共に、筒状フィルム２に横シール機２６にて横シール部６を設ける。
また、設けられた隣合う横シール部６同士の間をカッター２８で切断することにより、前後の両横端部にそれぞれ横シール部６を設けて封をした易開封性包装体１００が得られる。
これらの操作が繰り返されることにより、連続して内容物が充填された易開封性包装体１００が順次得られる。
【００４３】
ここで、横シール機２６は、一対のシールバー３１を備える。すなわち、一対のシールバー３１でフィルム１を挟持することにより、同時に、第１横シール部、非シール領域、第２横シール部が２つ形成される。
【００４４】
図６は、図５のピロー包装機における横シール機のシールバーを示す部分断面図である。
図６に示すように、シールバー３１は、上方から順に、第２刃部３２ｂ、平坦部３４、第１刃部３２ａ、第１刃部３３ａ、平坦部３５及び第２刃部３３ｂを備える。すなわち、一対のシールバー３１でフィルム１を挟持すると、第１刃部３２ａ，３３ａが第１横シール部を形成し、第２刃部３２ｂ，３３ｂが第２横シール部を形成し、平坦部３４，３５が非シール領域を形成する。
したがって、第１刃部３２ａと第１刃部３３ａとの間において、カッター２８で切断することになる。
なお、第１刃部３２ａ，３３ａ、第２刃部３２ｂ，３３ｂ、平坦部３４，３５は、幅を適宜変更することが可能となっている。
【００４５】
以上、本発明の好適な実施形態について説明したが、本発明は上記実施形態に限定されるものではない。
【００４６】
例えば、本実施形態に係る易開封性包装体１００においては、１枚のフィルムを用いているが、内容物と接する内側フィルムと、内容物と接しない外側フィルムとの二層構成としてもよい。すなわち、内側フィルムと、外側フィルムとからなる二層フィルムを重ね合わせた後に筒状とし、重なり合う縦端部に縦シール部を設けた筒状フィルム内に、内容物を充填し、筒状フィルムの前後の両横端部にそれぞれ横シール部を設けて封をして易開封性包装体としてもよい。また、１枚の筒状に押出されたフィルムを二層になるように折り畳んでそれを筒状にして内容物を充填し、易開封性包装体を形成しても良い。
【００４７】
このとき、内側フィルムが、ポリエチレン樹脂からなるフィルムであり、外側フィルムが、ポリエチレン層と、ポリアミド層とが積層された多層フィルムであることが好ましい。
内側フィルムが、ポリエチレンフィルムであると、屈曲性に優れるので、内容物等の流動体を包装するのに適している。また、外側フィルムが、ポリエチレン層と、ポリアミド層とが積層された多層フィルムであると、擦れ等に対する強度が極めて向上する。
【００４８】
本実施形態に係る易開封性包装体１００においては、図７の（ａ）に示すように、フィルムを筒状とし、重なり合う縦端部に縦シール部を設けているが、図７の（ｂ）に示すように、フィルムを筒状とし、向かい合う縦端部の内面同士をシールして縦シール部としてもよい。
【００４９】
本実施形態に係る易開封性包装体１００においては、前後にそれぞれ第１横シール部６ａ、非シール領域７、第２横シール部６ｂが設けられているが、いずれか一方であってもよい。すなわち、他方が第１横シール部のみであってもよい。
【産業上の利用可能性】
【００５０】
本発明に係る易開封性包装体は、マヨネーズ、ドレッシング等の内容物を搬送する際に用いられる包装体として好適に用いられる。本発明に係る易開封性包装体によれば、容易に開封できると共に、輸送時における破損が防止できる。
【符号の説明】
【００５１】
１・・・フィルム
１ａ・・・縦端部
１ｂ・・・縦最端部
２・・・筒状フィルム
２ａ・・・横端部
５・・・縦シール部
６・・・横シール部
６ａ・・・第１横シール部
６ｂ・・・第２横シール部
７・・・非シール領域
１１・・・第１上フィルム（フィルム）
１２・・・第２上フィルム（フィルム）
１３・・・下フィルム（フィルム）
２０・・・ピロー包装機
２１・・・ホッパ
２２・・・フォーマ
２３・・・縦シール機
２５・・・しごきロール
２６・・・横シール機
２７・・・筒状体
２８・・・カッター
３１・・・シールバー
３２ａ，３３ａ・・・第１刃部
３２ｂ，３３ｂ・・・第２刃部
３４，３５・・・平坦部
１００・・・易開封性包装体
Ｐ・・・部分
Ｒ・・・ロール状原反
【図１】
0005860253.tif 000002
【図２】
0005860253.tif 000003
【図３】
0005860253.tif 000004
【図４】
0005860253.tif 000005
【図５】
0005860253.tif 000006
【図６】
0005860253.tif 000007
【図７】
0005860253.tif 000008